(57)【要約】【課題】容易に、使用者が運動用器具を使用することができる。【解決手段】運動用器具として、運動者を着座させる乗せ部材２と、運動者の両足の各々を支持する２つの足支持部材３を有し、両足を互いに開運動又は閉運動するために用いられる足運動手段と、足支持部材に支持されている両足の開運動又は閉運動に抗する荷重をかける荷重手段５と、乗せ部材２、足運動手段及び荷重手段５を支持する支持手段６と、を備えており、可撓性固定具の他端部を取り外した状態で足支持部材３に乗り、その後、可撓性固定具の他端部を足支持部材３に取り付ける。【選択図】  図１
2004194987.tif 000002
【特許請求の範囲】
【請求項１】
運動者が腰掛ける腰掛台と、
運動者が前記腰掛台に腰掛けた状態で、前に伸ばされた両足の太腿及び脹脛の夫々を下方から支持するものであり、一端側が、鉛直方向に延びる夫々の回動軸に固定されており、前記回動軸を中心に、前記一端側に対する他端側が互いに離間・近接方向に回動可能な２つの足支持部材と、
一端部が前記足支持部材に固定されており、他端部が前記足支持部材に取付・取外可能なものであって、前記２つの足支持部材上に乗せられた両足の夫々を固定する２つの可撓性固定具と、
前記足支持部材が回動する際に、回動に対する荷重をかける荷重手段と、を備えたことを特徴とする運動用器具。
【請求項２】
前記２つの可撓性固定具の各々の前記一端部は、運動者が前記２つの足支持部材の各々に両足を乗せた際に、前記２つの足支持部材における両足の外側に位置する部分に設けられ、前記２つの可撓性固定具の各々の前記他端部は、運動者が前記２つの足支持部材の各々に両足を乗せた際に、前記２つの足支持部材における両足の内側に位置する部分に設けられることを特徴とする請求項１に記載の運動用器具。
【請求項３】
前記足支持部材における前記一端部に、足の外側面を押さえる起立部を設け、該起立部に前記可撓性固定具の一端部が固定されていることを特徴とする請求項２に記載の運動用器具。
【請求項４】
前記可撓性固定具における足との接触部に、パッドが取り付けられていることを特徴とする請求項１又は２に記載の運動用器具。
【請求項５】
前記パッドにおける足との接触を、足との接触面積を大きくするように湾曲させたことを特徴とする請求項４に記載の運動用器具。
【請求項６】
前記可撓性固定具における足との接触部に、バッドが取り付けられており、前記パッドにより足の内側面を押さえることを特徴とする請求項３に記載の運動用器具。
【発明の詳細な説明】
【０００１】
【発明の属する技術分野】
本発明は、使用者が、たとえ高齢者又は身体障害者等であっても、無理なく使用することができる運動用器具に関する。
【０００２】
【従来の技術】
従来、股関節外転・内転動作の強化のため、運動者が腰掛ける腰掛台と、腰掛台に運動者が腰掛けた状態で、前に伸ばされた両足の太腿及び脹脛の夫々を下方から支持するものであり、一端側が、鉛直方向に延びる夫々の回動軸に固定されており、回動軸を中心に、一端側に対する他端側が互いに離間・近接方向に回動可能な２つの足支持部材と、回動に対する荷重をかける荷重手段とを備えた運動用器具が提案されている（例えば、非特許文献１参照。）。
【０００３】
【非特許文献１】
介護予防・自立支援・パワーリハビリテーション研究会編集「パワーリハビリテーション  Ｎｏ．１」医歯薬出版株式会社、２００２年９月２０日、ｐ．７７−８１
【０００４】
【発明が解決しようとする課題】
しかしながら、従来の運動用器具では、２つの足支持部材の各々には、足の内側と外側の双方に起立片が固定されており、使用者は起立片を乗り越えて運動用器具に乗らなければならず、特に、使用者が高齢者や身体障害者である場合、運動用器具を使用することが困難であった。
【０００５】
本発明は、以上のような問題点に鑑みてなされたものであり、使用者が、たとえ高齢者又は身体障害者等であったとしても、容易に使用することができる運動用器具を提供することを目的とする。
【０００６】
【課題を解決するための手段】
以上の目的のため、本発明は、運動者が腰掛ける腰掛台と、
運動者が前記腰掛台に腰掛けた状態で、前に伸ばされた両足の太腿及び脹脛の夫々を下方から支持するものであり、一端側が、鉛直方向に延びる夫々の回動軸に固定されており、前記回動軸を中心に、前記一端側に対する他端側が互いに離間・近接方向に回動可能な２つの足支持部材と、一端部が前記足支持部材に固定されており、他端部が前記足支持部材に取付・取外可能なものであって、前記２つの足支持部材上に乗せられた両足の夫々を固定する２つの可撓性固定具と、前記足支持部材が回動する際に、回動に対する荷重をかける荷重手段と、を備えたことを特徴とする運動用器具である。この発明によれば、一端部が足支持部材に固定されており、他端部が足支持部材に取付・取外可能なものであって、２つの足支持部材上に乗せられた両足の夫々を固定する２つの可撓性固定具を備えたので、可撓性固定具の他端部を取り外した状態で足支持部材に乗り、その後、可撓性固定具の他端部を足支持部材に取り付けることにより、従来の足支持部材の両端部に設けられた起立部で太腿と脹脛を固定していたものに比べ、容易に、使用者が運動用器具に両足を固定することができる。
【０００７】
更に、本発明では、２つの可撓性固定具の各々の一端部は、運動者が２つの足支持部材の各々に両足を乗せた際に、２つの足支持部材における両足の外側に位置する部分に設けられ、２つの可撓性固定具の各々の他端部は、運動者が２つの足支持部材の各々に両足を乗せた際に、２つの足支持部材における両足の内側に位置する部分に設けられる。この発明によれば、２つの足支持部材における両足の内側に位置する部分の障害物を気にせずに、使用者が運動用器具に両足を固定することができる。
【０００８】
更に、本発明によれば、足支持部材における一端部に、足の外側面を押さえる起立部を設け、起立部に可撓性固定具の一端部が固定されているので、起立部により足の固定を充分に行うことができる。
【０００９】
更に、本発明によれば、可撓性固定具における足との接触部に、バッドが取り付けられているので、足の固定を充分に行えると共に、足を保護することができる。
【００１０】
更に、本発明によれば、パッドにおける足との接触を、足との接触面積を大きくするように湾曲させたので、パッドへの足の固定を充分に行うことができる。
【００１１】
更に又、本発明によれば、足の外側面を押さえる起立部を設けると共に、パッドにより足の内側面を押さえ、起立部とパッドで足を挟むので、より一層、足の固定を充分に行え、また足を保護することができる。
【００１２】
【発明の実施の形態】
本発明の実施の形態による運動用器具１を、図面にそって説明する。
図１〜図３は、本発明の実施の形態による運動用器具１である。
本発明の実施の形態による運動用器具１は、運動者を着座させる乗せ部材２と、運動者の両足の太腿と脹脛の各々を支持する２つの足支持部材３を有し、両足を互いに開運動又は閉運動するために用いられる足運動手段４と、足運動手段４による両足の開運動又は閉運動に抗する荷重をかける荷重手段５と、乗せ部材２、足運動手段４及び荷重手段５を支持する支持手段６と、を備えている。
【００１３】
支持手段６は、乗せ部材２を支持する乗せ部材支持フレーム部７と、床面に置かれて、足運動手段４を支持する足運動手段支持フレーム部８と、台形状であり、荷重手段５を構成する錘３２を支持する荷重手段支持フレーム部９と、を備えている。
乗せ部材支持フレーム部７は、床面近傍から上方の延びており、途中から屈曲して、床面に対して水平方向に延びている。
【００１４】
乗せ部材支持フレーム部７における、水平方向に延びている部分には、運動者が着座する腰掛台１０及び運動者の上半身を支える上半身支え台１１が設けられている。上半身支え台１１は、乗せ部材支持フレーム部７に対する角度を調整可能であり、角度を調整した後に、乗せ部材支持フレーム部７に固定される。
【００１５】
足運動手段支持フレーム部８には、上下２つの回転支持部(ベアリング)３４を介して、鉛直方向に延びる２つの回動軸１２が適宜間隔を置いて回動可能に支持されている。２つの回動軸１２の各々には、２つの足支持フレーム１３が夫々支持されている。回動軸１２に対する足支持フレーム１３の位置を開位置と閉位置とのどちらかに設定した状態で、位置決めピン（図示せず）により、足支持フレーム１３を回動軸１２に固定する。
【００１６】
図４を参照にして、本発明の実施の形態による運動用器具の足運動手段４につき、説明する。
２つの足支持フレーム１３の各々には、２つの板状部１６の夫々と連なって２つの起立片１７が設けられているＬ字状の金具３５が設けられている。２つの板状部１６の各々には、水平方向に延びており太腿を載せる２つの太腿支持部１４が設けられている。太腿支持部１４の先端部から連なって、下方に延びる脹脛支持部１５が設けられている。
【００１７】
２つの起立片１７の各々には、両足の太腿の外側部に接触する２つのパッド１８が固定されている。板状部１６における内側の端部、及び起立片１７の上端部には、コ型の棒状部材１９の両端部が取り付けられている。
コ型の棒状部材１９には、ベルト（可撓性固定具）２０の両端部が取り付けられている。板状部１６における内側の端部に取り付けられている棒状部材１９に対し、ベルト２０は、取付・取外可能となっている。
【００１８】
ベルト２０には、２つのパッド１８が接触する太腿の外側部に対し反対側の側部に接触する第２パッド２１が設けられている。第２パッド２１は、樹脂製の板（図示せず）に太腿と同じ曲面をもつスポンジ状の柔軟性部材（図示せず）が付いているものである。第２パッド２１は、第２パッド２１のベルト孔（図示せず）にベルト２０を通しても良いし、ベルト２０と第２パッド２１の双方にプラスチック製の多数の糸状体（図示せず）を設けて、糸状体の噛み合せにより、第２パッド２１をベルト２０に固定しても良い。
２つの回動軸１２の各々には、互いに噛み合うギア２２が固定されている。ギヤ２２は、２つの回動軸１２が足支持部材３を安定して支持するように、上下２つのベアリング３４の下方であって、且つ床面近傍に設けられている。２つの回動軸１２のうち、荷重手段５に近い側の回動軸１２には、後述する荷重伝達ベルト２３の一端部を固定する荷重伝達ベルト支持具２４が取り付けられている。
【００１９】
荷重手段支持フレーム部９には、第１の滑車２５〜第７の滑車３１が取り付けられている。錘３２の上端部には、ワイヤー３３が固定されており、ワイヤー３３は、第１の滑車２５〜第４の滑車２８により掛け渡されて、ワイヤー３３の先端部が荷重手段支持フレーム部９に固定される。第３の滑車２７は水平方向に移動可能な動滑車である。第３の滑車２７には移動体３６が固定されており、移動体３６には荷重伝達ベルト２３における一端部と反対側の他端部が固定されている。荷重伝達ベルト２３は、第６の滑車と第７の滑車との間を通り、回動軸１２に対し一体に固定された荷重伝達ベルト支持具２４に支持されている。
【００２０】
次に、本発明の実施の形態による運動用器具１の動作につき説明する。
まず始めに、２つの足支持フレーム１３を互いに開いた状態で、運動者が、２つの足支持フレーム１３の間で、且つ脹脛支持部１５の先端側から、乗せ部材２に着座する。
それから、運動者が、開運動と閉運動のどちらを行うかにより、回動軸１２に対する足支持フレーム１３の位置を閉位置と開位置のどちらかに設定した状態で、位置決めピンにより、足支持フレーム１３を回動軸１２に固定する。
【００２１】
その後、運動者は、両足の各々につき、太腿支持部１４に太腿を乗せ、脹脛支持部１５に脹脛を乗せた状態で、ベルト２０を掛け渡して、２つのパッド１８の各々により両足の太腿の外側部を支持すると共に、２つの第２パッド２１の各々により太腿の内側部を支持する。そして、ベルト２０の他端部を板状部１６における内側の端部に取り付けられている棒状部材１９に取り付ける。
運動者が開運動を行う場合には、足支持フレーム１３の位置は閉位置が基本位置とされるものであり、足支持フレーム１３が閉位置の状態で、運動者が両足を開き始めると、荷重伝達ベルト２３が移動し始める。
【００２２】
荷重伝達ベルト２３の移動は、第３の滑車２７を介してワイヤー３３に伝わり、ワイヤー３３が錘３２を持ち上げる方向に移動し始める。
尚、２つのギア２２は噛みあっているため、一方の足の回動作は、そのまま他方の足に伝わるので、両足は同じ角度で開くものである。
【００２３】
錘３２による荷重に抗して、運動者が両足を開き続けて、運動者が両足を最大限に開き、その後、運動者が両足の開く力を弱めると、錘３２の荷重により、足支持フレーム１３は基本位置である閉位置に戻る。このような動作を、数回から数十回、繰り返すことにより、運動者による運動用器具１の使用を終了する。
【００２４】
運動用器具１の使用を終了した後、ベルト２０を板状部１６における内側の端部に取り付けられている棒状部材１９から取り外して、運動者は、乗せ部材２から足運動手段４に移りつつ、運動用器具１から降りる。
【００２５】
尚、上記は開運動につき説明したが、閉運動の場合では、回動軸１２に対する足支持フレーム１３の基本的位置が開位置であり、運動者は閉方向に力を加えると共に、錘３２の荷重は足支持フレーム１３が閉方向に移動することに抗することとなる。
【００２６】
本発明によれば、運動者が腰掛ける腰掛台２と、運動者が腰掛台２に腰掛けた状態で、前に伸ばされた両足の太腿及び脹脛の夫々を下方から支持するものであり、一端側が、鉛直方向に延びる夫々の回動軸１２に固定されており、回動軸１２を中心に、一端側に対する他端側が互いに離間・近接方向に回動可能な２つの足支持部材３と、一端部が足支持部材３に固定されており、他端部が足支持部材３に取付・取外可能なものであって、２つの足支持部材３上に乗せられた両足の夫々を固定する２つのベルト２０と、足支持部材３が回動する際に、回動に対する荷重をかける荷重手段５と、を備えたことを特徴とする運動用器具１であるので、ベルト２０の他端部を取り外した状態で足支持部材３に乗り、その後、ベルト２０の他端部を足支持部材３に取り付けることにより、従来の足支持部材３の両端部に設けられた起立部で太腿と脹脛を固定していたものに比べ、容易に、使用者が運動用器具１に両足を固定することができる。
【００２７】
更に、本発明では、２つのベルト２０の各々の一端部は、使用者が２つの足支持部材３の各々に両足を乗せた際に、２つの足支持部材３における両足の外側に位置する部分に設けられ、２つのベルト２０の各々の他端部は、使用者が２つの足支持部材３の各々に両足を乗せた際に、２つの足支持部材３における両足の内側に位置する部分に設けられるので、２つの足支持部材３における両足の内側に位置する部分の障害物を気にせずに、容易に、使用者が運動用器具１に両足を固定することができる。
【００２８】
更に、本発明によれば、足支持部材３における一端部に、足の一側面を押さえる起立片１７を設け、起立片１７にベルト２０の一端部が固定されているので、起立片１７により足の固定を充分に行うことができる。
【００２９】
更に、本発明によれば、ベルト２０における足との接触部に、第２パッド２１が取り付けられているので、足の固定を充分に行えると共に、足を保護することができる。
【００３０】
更に、本発明によれば、第２パッド２１における足との接触を、足との接触面積を大きくするように湾曲させたので、第２パッド２１への足の固定を充分に行うことができる。
【００３１】
更に又、本発明によれば、足の外側面を押さえる起立片１７を設けると共に、第２パッド２１により足の内側面を押さえるので、起立片１７と第２パッド２１で足を挟み、より一層、足の固定を充分に行えまた足を保護することができる。
【００３２】
本発明によれば、２つの足支持部材３のうち一方の足支持部材３が離間方向または近接方向に回動した場合に、その回動に応じて、一方の足支持部材３以外の他方の足支持部材３も離間方向または近接方向に回動させるものであり、２つの回動軸１２の各々に固定されており、互いにかみ合う２つのギア２２を備えているので、一方の足支持部材３の離間方向または近接方向への回動を、他方の足支持部材３に適切に伝達することができて、両足で均等な動作を行うことができる。また、従来、ベルトにより一方の足支持手段３の離間方向または近接方向への回動を他方の足支持手段３に伝達した場合に比べ、経時的にベルトが伸びて２つの足支持手段３の間隔を大きくしなければならず、運動用器具１の使用が困難になってしまうという不具合も解決できる。
【００３３】
更に、本発明は、荷重手段５は、２つの回動軸１２のうち一方の回動軸１２に備えられるものであり、２つの足支持部材３の他端側の夫々を、互いに離間させた状態及び互いに近接させた状態のうち一方の状態で、２つの足支持部材３を２つの回動軸１２の各々に固定できることを特徴としているので、２つの足支持部材３の固定位置を変更すれば、１つの運動用器具１により両足を閉じる方向への筋力強化と両足を開く方向への筋力強化の双方を行うことができる。
【００３４】
【発明の効果】
本発明によれば、一端部が足支持部材に固定されており、他端部が足支持部材に取付・取外可能なものであって、２つの足支持部材上に乗せられた両足の夫々を固定する２つの可撓性固定具を備えたので、可撓性固定具の他端部を取り外した状態で足支持部材に乗り、その後、可撓性固定具の他端部を足支持部材に取り付けることにより、従来の足支持部材の両端部に設けられた起立部で太腿と脹脛を固定していたものに比べ、容易に、使用者が運動用器具に両足を固定することができる。
【００３５】
更に、本発明では、２つの可撓性固定具の各々の一端部は、運動者が２つの足支持部材の各々に両足を乗せた際に、２つの足支持部材における両足の外側に位置する部分に設けられ、２つの可撓性固定具の各々の他端部は、運動者が２つの足支持部材の各々に両足を乗せた際に、２つの足支持部材における両足の内側に位置する部分に設けられるので、２つの足支持部材における両足の内側に位置する部分の障害物を気にせずに、使用者が運動用器具に両足を固定することができる。
【００３６】
更に、本発明によれば、足支持部材における一端部に、足の外側面を押さえる起立部を設け、起立部に可撓性固定具の一端部が固定されているので、起立部により足の固定を充分に行うことができる。
【００３７】
更に、本発明によれば、可撓性固定具における足との接触部に、バッドが取り付けられているので、足の固定を充分に行えると共に、足を保護することができる。
【００３８】
更に、本発明によれば、パッドにおける足との接触を、足との接触面積を大きくするように湾曲させたので、パッドへの足の固定を充分に行うことができる。
【００３９】
更に又、本発明によれば、足の外側面を押さえる起立部を設けると共に、パッドにより足の内側面を押さえ、起立部とパッドで足を挟むので、より一層、足の固定を充分に行え、また足を保護することができる。
【図面の簡単な説明】
【図１】本発明の実施の形態による運動用器具の正面図である。
【図２】本発明の実施の形態による運動用器具の上面図である。
【図３】本発明の実施の形態による運動用器具の側面図である。
【図４】本発明の実施の形態による運動用器具の足運動手段を示す図である。
【符号の説明】
１          運動用器具
３          足支持部材
５          荷重手段
１０        腰掛台
１２        回動軸
１７        起立片（起立部）
２０        ベルト
２１        第２パッド
【図１】
2004194987.tif 000003
【図２】
2004194987.tif 000004
【図３】
2004194987.tif 000005
【図４】
2004194987.tif 000006